(57)【要約】【課題】繰り返し使用が可能であると共により円滑に装着させることができ、更に、容易に取扱うことができるシート保護用条材を提供する。【解決手段】第１条部１及び第２条部２には硬質の合成樹脂（プラスチック）材を、また、中間部３には軟質の合成樹脂（プラスチック）材を用いて、第１条部１、第２条部２及び中間部３を一体成形してある。シート保護用条材Ａは、第１条部１と第２条部２とを深さ方向へ互いにずらし、第１条部１の第１底壁部１１と第１側壁部１２との角部内に、第２条部２の第２底壁部２１を挿入することによって、シート保護用条材Ａの幅寸法を可及的に狭くしておく。そして、狭幅状態のシート保護用条材ＡをシートＳと共に、シート止用条材３０の係止部３３に内嵌させる。【選択図】図５
2006262785.tif 000002
【特許請求の範囲】
【請求項１】
溝状の係止部内にシートの一部を挿入させて当該シートを止めるシート止用条材の前記係止部内に着脱自在に嵌合させて、前記シートの係止部に挿入させた部分を保護するシート保護用条材において、
端面視が前記係止部の一方の内側面がわの部分に略倣うように成形してなる長尺の第１条部と、端面視が前記係止部の他方の内側面がわの部分に略倣うように成形してなる長尺の第２条部とを、可撓性を有する中間部で連結して構成してあることを特徴とするシート保護用条材。
【請求項２】
前記第１条部及び第２条部はそれぞれ、前記係止部の底面の一部に対向させる底壁部と、係止部の内側面に対向させる側壁部と、この側壁部の縁部から延設してなり、前記係止部の縁部を覆わせる鍔部とを具備し、前記中間部は、第１条部の底壁部と第２条部の底壁部との間に介装してある請求項１記載のシート保護用条材。
【請求項３】
前記中間部は、端面視が内側へ凸に成形してある請求項１又は２記載のシート保護用条材。
【請求項４】
前記第１条部の底壁部及び第２条部の底壁部の幅寸法はそれぞれ、前記係止部の幅寸法の半分より狭くしてあり、前記第１条部の底壁部及び第２条部の底壁部並びに中間部を合わせた幅寸法は、前記係止部の幅寸法より大きくしてある請求項１から３のいずれかに記載のシート保護用条材。
【請求項５】
前記第１条部及び第２条部は硬質の合成樹脂を用い、前記中間部は軟質の合成樹脂を用いて、第１条部、第２条部及び中間部を一体成形してある請求項１から４のいずれかに記載のシート保護用条材。
【発明の詳細な説明】
【技術分野】
【０００１】
本発明は、係止用の溝を備えるシート止用条材に合成樹脂製のシートの一部を係止させてなる、所謂ビニルハウスにおいて、前記シートのシート止用条材に係止させた部分を破損から保護するシート保護用条材に関する。
【背景技術】
【０００２】
係止用の溝を備えるシート止用条材に合成樹脂製のシートの一部を係止させてなる、所謂ビニルハウスにあっては、塩化ビニル製のシートに代えて、農業用ポリオレフィン系のシートが用いられる場合がある。これは、前者のシートに比べて後者のシートの方が、透明度が高い上に寿命が長く、更に、後者のシートは、燃焼させても有害なガスを発生しないため焼却処理を行なうことができるからである。しかし、後者のシートは摩擦耐性が小さいため、擦れによって破損し易いという問題があった。そのため、展張したシートに擦れが生じることを防止する次のようなシート保護用条材が開発されている。
【０００３】
図７は、後記する特許文献に開示されているシート保護用条材の使用様態を示す側断面図であり、図中、Ｓはシート、３０はシートＳの一部を係止する金属製のシート止用条材である。
【０００４】
図７に示した如く、シート止用条材３０は、平帯状の底壁部３１の両側縁に側壁部３２，３２を互いに内側へ傾斜した姿勢で立設して側断面視が縦断三角フラスコ底部形状をしており、両側壁部３２，３２の間を、シートＳの一部を挿入係止させる溝状の係止部３３にしてある。このシート止用条材Ｓの係止部３３内に、シートＳを保護する硬質プラスチック製のシート保護用条材４０が嵌入してある。
【０００５】
シート保護用条材４０は、側断面視が底辺が長い略乙字形をなし、前述したシート止用条材３０の一方の側壁部３２の内面に対向させる第１条部材４１と、側断面視が底辺が長い略逆乙字形をなし、前述したシート止用条材３０の他方の側壁部３２の内面に対向させる第２条部材５２とを備えている。即ち、第１条部材４１は、シート止用条材３０の底壁部３１の幅寸法より少し狭い幅寸法の第１底壁部４３と、この第１底壁部４３の一側縁に前記シート止用条材３０の側壁部３２の傾斜姿勢と略同じ傾斜姿勢で立設してあり、前記側壁部３２の長さ寸法より少し長くした第１側壁部４６と、この第１側壁部４６の上縁から前記第１底壁部４３と略平行に延設してあり、前記シート止用条材３０の一方の側壁部３２の上縁を覆う第１鍔部４７とを具備している。そして、第１底壁部４３は、厚さ方向へ距離を隔てて並設した第１底部４４及び第２底部４５によって二重底状に構成してあり、第１底壁部４３の前記第１側壁部４６とは反対側の側部であって、第１底部４４と第２底部４５との間隙の部分は、切欠して溝状の開口にしてある。
【０００６】
また、前記第２条部材５２は、シート止用条材３０の底壁部３１の幅寸法より少し狭い幅寸法の第２底壁部５３と、前記第１側壁部４６に対向する第２側壁部５６と、この第２側壁部５６の上縁から前記第２底壁部５３と略平行に延設してあり、前記シート止用条材３０の他方の側壁部３２上縁を覆う第２鍔部５７とを具備しており、前記第２底壁部５３は、前記第１底壁部４３の第１底部４４と第２底部４５との間に進退自在に嵌合してある。
【０００７】
そして、シート止用条材３０の係止部３３上をシートＳで覆い、このシートＳ上から前記係止部３３内へシート保護用条材４０を、シート保護用条材４０の第２底壁部５３を第１底壁部４３の第１底部４４と第２底部４５との間に可及的に収納した状態で、嵌入させることによって、シートＳの一部を係止部３３内に挿入させ、シート保護用条材４０の第１側壁部４６と第２側壁部５６との間に固定用螺子６０を螺入させる。
【０００８】
固定用螺子６０は、シート止用条材３０の両側壁部３２，３２の上縁の間の距離より少し大きい直径の頭部６１の裏面中央に、円錐形状の脚部６２を垂下してなり、この脚部６２の基部の直径は、前記両側壁部３２，３２の上縁間の距離より少し小さい寸法にしてある。かかる固定用螺子６０を、シート保護用条材４０の第１側壁部４６及び第２側壁部５６がシート止用条材３０の両側壁部３２，３２の内面に当接するまで螺入させることによって、係止部３３内に挿入させたシートＳを、シート止用条材３０の係止部３３とシート保護用条材４０との間に挟持固定していた。
【０００９】
このようなシート保護用条材４０では、シートＳのシート止用条材３０の係止部３３内に挿入された部分、及びシートＳのシート止用条材３０の両側壁部３２，３２の縁部上の部分を、硬質プラスチック製のシート保護用条材４０で面状に押さえるため、風によってシートＳが煽られた場合であっても、シートＳがシート止用条材３０に擦れることが防止され、シートＳに損傷が生じ難い。一方、シート保護用条材４０は、固定用螺子６０を取り外してシート止用条材３０の係止部３３から抜出することによって、繰り返し使用することができる。
【００１０】
【特許文献１】特開２００４−３１３０３４号公報（図３）
【発明の開示】
【発明が解決しようとする課題】
【００１１】
しかしながら、このような従来のシート保護用条材４０にあっては、繰り返し使用することは可能であるものの、固定用螺子６０によって第１側壁部４６及び第２側壁部５６をシート止用条材３０の両側壁部３２，３２の内面に当接させた状態で、第２底壁部５３の先端が、前記第１底壁部４３の第１底部４４と第２底部４５との間に嵌合するようにしているため、第２底壁部５３を第１底壁部４３の第１底部４４と第２底部４５との間に可及的に収納させた状態であっても、シート保護用条材４０の底部幅寸法が比較的大きく、シート保護用条材４０をシート止用条材３０の係止部３３内に嵌入させる作業を円滑に行なうことが困難であった。また、前述した如く、シート保護用条材４０は、第２底壁部５３を第１底壁部４３の第１底部４４と第２底部４５との間に進退自在に嵌合して構成してあるため、シート保護用条材４０を持ち運んでいる際に、第１条部材４１と第２条部材５２とが互いに分離する場合があり、シート保護用条材４０の取扱いが煩雑であった。
【００１２】
本発明は、斯かる事情に鑑みてなされたものであって、繰り返し使用が可能であると共により円滑に装着させることができ、更に、容易に取扱うことができるシート保護用条材を提供する。
【課題を解決するための手段】
【００１３】
請求項１記載の本発明は、溝状の係止部内にシートの一部を挿入させて当該シートを止めるシート止用条材の前記係止部内に着脱自在に嵌合させて、前記シートの係止部に挿入させた部分を保護するシート保護用条材において、端面視が前記係止部の一方の内側面がわの部分に略倣うように成形してなる長尺の第１条部と、端面視が前記係止部の他方の内側面がわの部分に略倣うように成形してなる長尺の第２条部とを、可撓性を有する中間部で連結して構成してあることを特徴とする。
【００１４】
請求項２記載の本発明は、前記第１条部及び第２条部はそれぞれ、前記係止部の底面の一部に対向させる底壁部と、係止部の内側面に対向させる側壁部と、この側壁部の縁部から延設してなり、前記係止部の縁部を覆わせる鍔部とを具備し、前記中間部は、第１条部の底壁部と第２条部の底壁部との間に介装してあることを特徴とする。
【００１５】
請求項３記載の本発明は、前記中間部は、端面視が内側へ凸に成形してあることを特徴とする。
【００１６】
請求項４記載の本発明は、前記第１条部の底壁部及び第２条部の底壁部の幅寸法はそれぞれ、前記係止部の幅寸法の半分より狭くしてあり、前記第１条部の底壁部及び第２条部の底壁部並びに中間部を合わせた幅寸法は、前記係止部の幅寸法より大きくしてあることを特徴とする。
【００１７】
請求項５記載の本発明は、前記第１条部及び第２条部は硬質の合成樹脂を用い、前記中間部は軟質の合成樹脂を用いて、第１条部、第２条部及び中間部を一体成形してあることを特徴とする。
【発明の効果】
【００１８】
請求項１記載の本発明では、溝状の係止部内にシートの一部を挿入させて当該シートを止めるシート止用条材の前記係止部内に着脱自在に嵌合させて、前記シートの係止部に挿入させた部分を保護するに際し、シート保護用条材は、端面視が前記係止部の一方の内側面がわの部分に略倣うように成形してなる長尺の第１条部と、端面視が前記係止部の他方の内側面がわの部分に略倣うように成形してなる長尺の第２条部とを、可撓性を有する中間部で連結して構成してあるため、第１条部と第２条部とをその深さ方向へ互いに位置をずらすことができ、この状態で両者を当接させることによって、シート保護用条材底部の幅寸法を可及的に狭くすることができる。これによって、シート保護用条材をシート止用条材の係止部内に嵌入させる作業を、より円滑に行なうことができる。
【００１９】
一方、第１条部と第２条部とを可撓性を有する中間部で連結してあるため、シート保護用条材を持ち運びしている際であっても、第１条部と第２条部とが互いに分離することがなく、シート保護用条材の取扱いが容易である。
【００２０】
請求項２記載の本発明では、前述した第１条部及び第２条部はそれぞれ、シート止用条材の係止部の底面の一部に対向させる底壁部と、係止部の内側面に対向させる側壁部と、この側壁部の縁部から延設してなり、前記係止部の縁部を覆わせる鍔部とを具備し、前記中間部は、第１条部の底壁部と第２条部の底壁部との間に介装してあるため、第１条部と第２条部とをその深さ方向へ互いに位置をずらせて、一方の底壁部が、他方の底壁部と側壁部との角部内へ挿入させることができ、これによって、シート保護用条材底部の幅寸法を可及的に狭くすることができる。
【００２１】
一方、第１条部及び第２条部はそれぞれ底壁部を具備するため、シート止用条材の係止部にシートを止めるべく、係止部に嵌合させたシート保護用条材内に、例えば台形波状のスプリングを挿入させる場合、当該スプリングによる突張力は、シート保護用条材の底壁部と側壁部との角部に印加され、可撓性の中間部には印加されないため、スプリングの突張力によって中間部が損傷を受けることが防止される。
【００２２】
請求項３記載の本発明では、中間部は、端面視が内側へ凸に成形してあるため、第１条部と第２条部とをその深さ方向へ互いに位置をずらせ、この状態で両者を当接させた場合であっても、中間部が外へ突出して、第１条部又は第２条部の裏面側へ廻り込むことが防止され、シート止用条材の係止部に内嵌させた後に、第１条部及び第２条部を拡開させる作業を円滑に行なうことができる。
【００２３】
請求項４記載の本発明では、第１条部の底壁部及び第２条部の底壁部の幅寸法はそれぞれ、前記係止部の幅寸法の半分より狭くしてあり、前記第１条部の底壁部及び第２条部の底壁部並びに中間部を合わせた幅寸法は、前記係止部の幅寸法より大きくしてあるため、シート止用条材の係止部に内嵌させたシート保護用条材の第１条部及び第２条部を、係止部の両内側面に当接するまで拡開させた場合であっても、可撓性を有する比較的強度の低い中間部が、第１条部及び第２条部によって引っ張られることが回避され、中間部の劣化を可及的に低減することができる。
【００２４】
請求項５記載の本発明では、第１条部及び第２条部は硬質の合成樹脂を用い、前記中間部は軟質の合成樹脂を用いて、第１条部、第２条部及び中間部を一体成形してあるため、製造工程が少なく、廉価に製造することができる。また、第１条部と中間部との間の連結、第２条部と中間部との間の連結が強固であり、中間部の屈伸によって損傷を来たすことが防止される。
【発明を実施するための最良の形態】
【００２５】
本発明に係るシート保護用条材は、溝状の係止部内にシートの一部を挿入させて当該シートを止めるシート止用条材の前記係止部内に着脱自在に嵌合させて、前記シートの係止部に挿入させた部分を保護するに際し、端面視が前記係止部の一方の内側面がわの部分に略倣うように成形してなる長尺の第１条部と、端面視が前記係止部の他方の内側面がわの部分に略倣うように成形してなる長尺の第２条部とを、可撓性を有する中間部で連結して構成してある。
【００２６】
すなわち、前述した第１条部及び第２条部はそれぞれ、係止部の底面の一部に対向させる底壁部と、係止部の内側面に対向させる側壁部と、この側壁部の縁部から延設してなり、係止部の縁部を覆わせる鍔部とを具備し、中間部は、第１条部の底壁部と第２条部の底壁部との間に介装してある。
【００２７】
また、前述した中間部は、端面視が内側へ凸に成形してある。
【００２８】
更に、前述した第１条部の底壁部及び第２条部の底壁部の幅寸法はそれぞれ、シート止用条材の係止部の幅寸法の半分より狭くしてあり、第１条部の底壁部及び第２条部の底壁部並びに中間部を合わせた幅寸法は、係止部の幅寸法より大きくしてある。
【００２９】
一方、第１条部及び第２条部は硬質の合成樹脂を用い、中間部は軟質の合成樹脂を用いて、第１条部、第２条部及び中間部を一体成形してある。
【００３０】
以下、本発明の実施例を図面に基づいて詳述する。
【００３１】
図１〜図４は、本発明に係るシート保護用条材を示す端面図、平面図、裏面図及び側面図である。本発明に係るシート保護用条材Ａは、端面視が略乙字形の第１条部材１の底部と端面視が略逆乙字形の第２条部２の底部との間を、可撓性を有する中間部３によって連結して構成してある。即ち、第１条部１及び第２条部２には硬質の合成樹脂（プラスチック）材を、また、中間部３には軟質の合成樹脂（プラスチック）材を用いて、第１条部１、第２条部２及び中間部３を一体成形してある。
【００３２】
前述した第１条部１は、後述するシート止用条材３０の係止部３３（図６参照）の幅寸法の略１／４程度の幅寸法を有する帯板状の第１底壁部１１の外側縁に第１側壁部１２を、シート保護用条材Ａの内側へ略４５°程度傾斜させた姿勢で立設してあり、第１側壁部１２と第１底壁部１１との角部は円弧状にしてある。また、第１側壁部１２の上縁から、第１底壁部１１の幅寸法と略同じ幅寸法を有する第１鍔部１３が、シート保護用条材Ａから離隔する方向へ、第１底壁部１１と略平行に延設してあり、第１底壁部１１と第１鍔部１３との間の距離は、後述するシート止用条材３０（図６参照）の深さ寸法より僅かに大きくしてある。また、この第１鍔部１３と第１側壁部１２との角部も、円弧状にしてある。
【００３３】
前同様に、第２条部２は、第１条部１の第１底壁部１１の幅寸法と略同じ幅寸法を有する帯板状の第２底壁部２１の外側縁に第２側壁部２２を、シート保護用条材Ａの内側へ略４５°程度傾斜させた姿勢で立設してあり、第２側壁部２２と第２底壁部２１との角部は円弧状にしてある。また、第２側壁部２２の上縁から、第２底壁部２１の幅寸法と略同じ幅寸法を有する第２鍔部２３が、シート保護用条材Ａから離隔する方向へ、第２底壁部２１と略平行に延設してあり、第２底壁部２１と第２鍔部２３との間の距離は、第１底壁部１１と第１鍔部１３との間の距離と同じにしてある。また、この第２鍔部２３と第２側壁部２２との角部も、円弧状にしてある。
【００３４】
なお、本実施の形態では、第１側壁部１２及び第２側壁部２２をそれぞれ、第１底壁部１１及び第２底壁部２１に対して略４５°程度傾斜させてあるが、本発明はこれに限らず、シート止用条材の係止部の内側面に略倣うようにしておけばよい。
【００３５】
この第１底壁部１１の内側縁と第２底壁部２１の内側縁との間を、後述するシート止用条材３０の係止部３３（図６参照）の幅寸法の略２／４を超える幅寸法を有する帯板状の中間部３で連結してある。中間部３は、第１底壁部１１及び第２底壁部２１近傍の部分の厚さをそれぞれ、第１底壁部１１及び第２底壁部２１の厚さと略同じにしてあり、それ以外の部分の厚さを、第１底壁部１１及び第２底壁部２１の厚さより薄くしてある。そして、中間部３の幅方向の略中央部分は、中間部３がシート保護用条材Ａの内へ凸になるように円弧状に成形してある。
【００３６】
なお、本実施の形態では、第１底壁部１１の幅寸法及び第２底壁部２１の幅寸法は、シート止用条材３０の係止部３３の幅寸法の略１／４程度になし、中間部３の幅寸法は、シート止用条材３０の係止部３３の幅寸法の略２／４を超える寸法になしてあるが、本発明はこれに限らず、第１底壁部１１の幅寸法及び第２底壁部２１の幅寸法は、シート止用条材３０の係止部３３の幅寸法の略１／４より狭くし、中間部３の幅寸法は、第１底壁部１１の幅寸法、第２底壁部２１の幅寸法及び中間部３の幅寸法を合わせて、シート止用条材３０の係止部３３の幅寸法を超えるような寸法になせばよい。
【００３７】
また、本実施の形態では、第１条部１、第２条部及び中間部３を一体成形して構成してあるが、本発明はこれに限らず、第１条部１と中間部３とを、及び第２条部と中間部３とを、融着又は接着等により連結するようにしてもよい。
【００３８】
次に、本発明に係るシート保護用条材Ａの使用方法について説明する。
【００３９】
図５及び図６は、図１〜図４に示したシート保護用条材Ａの使用方法を説明する説明図であり、両図中、Ｓは合成樹脂製のシートであり、３０は金属製のシート止用条材である。シート止用条材３０は、平帯状の底壁部３１の両側縁に側壁部３２，３２を互いに内側へ略４５°程度傾斜させた姿勢で立設して、端面視が縦断三角フラスコ底部形状をしており、底壁部３１と両側壁部３２，３２との角部は、それぞれ円弧状にしてある。そして、両側壁部３２，３２の間を、シートＳの一部を挿入係止させる溝状の係止部３３にしてある。
【００４０】
かかるシート止用条材３０上にシートＳを、図５に示した如く、当該シートＳの一部が係止部３３を覆うように配置する。一方、シート保護用条材Ａは、第１条部１と第２条部２とを深さ方向へ互いにずらし、例えば、第１条部１の第１底壁部１１と第１側壁部１２との角部内に、第２条部２の第２底壁部２１を挿入することによって、シート保護用条材Ａの幅寸法を可及的に狭くしておく。そして、狭幅状態のシート保護用条材ＡをシートＳと共に、シート止用条材３０の係止部３３に内嵌させる。
【００４１】
かかる狭幅状態では、シート保護用条材Ａの底部幅寸法は、シート止用条材３０の底壁部３３の幅寸法の略１／４より僅かに大きい寸法である。そのため、シート保護用条材ＡをシートＳと共に、シート止用条材３０の係止部３３内に嵌入させる作業を可及的に円滑容易に行なうことができる。
【００４２】
このとき、中間部３は可撓性を有するため、シート保護用条材Ａを狭幅状態にする作業を容易に行なうことができる。また、前述した如く、中間部３は内へ凸になるように成形してあるため、中間部３が外へ突出して、第１条部１又は第２条部２の裏面側へ廻り込むことが防止され、後述する如く、シート止用条材３０の係止部３３に内嵌させた後に、第１条部１及び第２条部２の間を拡開させる作業を円滑に行なうことができる。
【００４３】
次に、図６に示した如く、係止部３３に内嵌させたシート保護用条材Ａの第１条部１及び第２条部２の間を拡開させることによって、第１条部１の第１側壁部１２及び第２条部２の第２側壁部２２を係止部３３の対応する両内側面にそれぞれ当接させると共に、第１鍔部１３及び第２鍔部２３をシート止用条材３０の両側壁部３２，３２の縁部に、それらを覆うように当接させる。
【００４４】
これによって、シートＳは、シート止用条材３０の係止部３３の内面に倣って展設されると共に、第１条部１の第１側壁部１２及び第１底壁部１１と係止部３３の内面との間、第２条部２の第２側壁部２２及び第２底壁部２１と係止部３３の内面との間、第１鍔部１３と側壁部３２の縁との間、並びに、第２鍔部２３と側壁部３２の縁との間にそれぞれ挟持される。
【００４５】
そして、面内台形波状のスプリングＳＰをシート保護用条材Ａ内に嵌入させて、第１条部１及び第２条部２を外側へ拡開させる突張力を印加することによって、シート保護用条材Ａ及び前述した如く挟持したシートＳを固定する。
【００４６】
これによって、シートＳは第１条部１及び第２条部２と係止部３３との間に面状に挟持固定されるため、シートＳが風によって煽られた場合であっても、シートＳとシート止用条材３０との間に擦れが発生することが防止される。
【００４７】
このようなシート保護用条材Ａにあっては、スプリングＳＰを取り外して、シート保護用条材Ａをシート止用条材３０の係止部３３から抜出することによって、繰り返し使用することができる。
【００４８】
このとき、シート保護用条材Ａの第１条部１と第２条部２とは中間部３によって連結してあるため、シート保護用条材Ａの取り付け・取り外し作業中、及びシート保護用条材Ａの運搬作業中、第１条部１と第２条部２とが分離することがなく、かかる作業中、シート保護用条材Ａを容易に取り扱うことができる。
【００４９】
ところで、シート保護用条材Ａの第１条部１及び第２条部２は硬質の合成樹脂で形成してあるため、強度が高く、スプリングＳＰによって突張力が印加されても、これに耐えることができる。一方、シート保護用条材Ａの中間部３は軟質の合成樹脂で形成してあるが、スプリングＳＰによる突張力は印加されないため、嵌入されたスプリングＳＰによって中間部３が破損することが回避される。
【００５０】
また、前述した如く第１条部１の第１底壁部１１及び第２条部２の第２底壁部２２並びに中間部３を合わせた幅寸法は、シート止用条材３０の係止部３３の幅寸法より大きくしてあるため、係止部３３に内嵌させたシート保護用条材Ａの第１条部１及び第２条部２を、係止部３３の両内側面に当接するまで拡開させた場合であっても、可撓性を有する比較的強度の低い中間部３が、第１条部１及び第２条部２によって引っ張られることが回避され、中間部３の劣化を可及的に低減することができる。
【図面の簡単な説明】
【００５１】
【図１】本発明に係るシート保護用条材を示す端面図である。
【図２】本発明に係るシート保護用条材を示す平面図である。
【図３】本発明に係るシート保護用条材を示す裏面図である。
【図４】本発明に係るシート保護用条材を示す側面図である。
【図５】図１〜図４に示したシート保護用条材の使用方法を説明する説明図である。
【図６】図１〜図４に示したシート保護用条材の使用方法を説明する説明図である。
【図７】後記する特許文献に開示されているシート保護用条材の使用様態を示す側断面図である。
【符号の説明】
【００５２】
１    第１条部
２    第２条部
３    中間部
１１    第１底壁部
１２    第１側壁部
１３    第１鍔部
２１    第２底壁部
２２    第２側壁部
２３    第２鍔部
３０    シート止用条材
３１    底壁部
３２    側壁部
３３    係止部
Ａ    シート保護用条材
ＳＰ    スプリング
Ｓ    シート
【図１】
2006262785.tif 000003
【図２】
2006262785.tif 000004
【図３】
2006262785.tif 000005
【図４】
2006262785.tif 000006
【図５】
2006262785.tif 000007
【図６】
2006262785.tif 000008
【図７】
2006262785.tif 000009